(57)【要約】【課題】本発明は、経路案内中の音声案内と音楽再生に関するもので、使い勝手を向上することを目的とする。【解決手段】本発明のナビゲーション装置は、複数の音楽が収録された音楽収納メモリと、この音楽収納メモリに接続された制御部と、この制御部に接続された位置情報検出手段（ＧＰＳ）と、地図収納メモリ及び動作プログラム収納メモリと、を備え、前記音楽収納メモリ内には複数の音楽が嗜好情報を付加した状態で収納され、前記制御部は、前記位置情報検出手段によって検出した現在位置から次の音声案内がされるまでの時間を算出し、この時間が所定時間以上あると判断した場合に前記音楽収納メモリに収納された嗜好上位の音楽を再生させる構成とする。【選択図】図２
2014182050.tif 000002
【特許請求の範囲】
【請求項１】
複数の音楽が収録された音楽収納メモリと、この音楽収納メモリに接続された制御部と、この制御部に接続された位置情報検出手段（ＧＰＳ）と、地図収納メモリ及び動作プログラム収納メモリと、を備え、
前記音楽収納メモリ内には複数の音楽が嗜好情報を付加した状態で収納され、前記制御部は、前記位置情報検出手段によって検出した現在位置から次の音声案内がされるまでの時間を算出し、この時間が所定時間以上あると判断した場合に前記音楽収納メモリに収納された嗜好上位の音楽を再生させる構成としたナビゲーション装置。
【請求項２】
前記制御部は、前記位置情報検出手段によって検出した現在位置から次の音声案内がされるまでの時間を算出し、この時間が所定時間以上ないと判断した場合に前記音楽収納メモリに収納された再生リストに設定されている次の音楽を再生させる構成とした請求項１に記載のナビゲーション装置。
【発明の詳細な説明】
【技術分野】
【０００１】
本発明は、音楽再生機能を搭載したナビゲーション装置に関する。
【背景技術】
【０００２】
従来より、自動車の運転中に経路案内をしながらスピーカによる音楽再生を行うカーナビゲーション装置が提案されている（例えば下記特許文献１）。
【先行技術文献】
【特許文献】
【０００３】
【特許文献１】特開２００４−１０８９０８号公報
【発明の概要】
【発明が解決しようとする課題】
【０００４】
上記従来例では、ドライバーの音楽鑑賞の中断等を生ずる事なく、音声案内の出力を行う技術が開示されている。この技術は、ドライバーの好みの曲をプレイリストに収めておき、それらの曲を再生中に道路案内において任意の音声案内のタイミングに到達したとしても、その音声案内を行わなず、好みの曲が音声案内によって邪魔されることのないようにしている。
【０００５】
しかしながら、上記従来例では、曲の再生を優先し、その曲の再生中は音声案内を行わないので、本来のナビゲーションの機能を果たさず、極めて使い勝手の悪いものとなる。
【０００６】
そこで、本発明は、ユーザの使い勝手を向上させることを目的とするものである。
【課題を解決するための手段】
【０００７】
そして、この目的を達成するために本願の請求項１にかかる発明は、複数の音楽が収録された音楽収納メモリと、この音楽収納メモリに接続された制御部と、この制御部に接続された位置情報検出手段（ＧＰＳ）と、地図収納メモリ及び動作プログラム収納メモリと、を備えたナビゲーション装置であり、前記音楽収納メモリ内には複数の音楽が嗜好情報を付加した状態で収納され、前記制御部は、前記位置情報検出手段によって検出した現在位置から次の音声案内がされるまでの時間を算出し、この時間が所定時間以上あると判断した場合に前記音楽収納メモリに収納された嗜好上位の音楽を再生させる構成としたことを特徴とする。
【０００８】
本願の請求項２にかかる発明は、請求項１にかかるナビゲーション装置において、前記制御部は、前記位置情報検出手段によって検出した現在位置から次の音声案内がされるまでの時間を算出し、この時間が所定時間以上ないと判断した場合に前記音楽収納メモリに収納された再生リストに設定されている次の音楽を再生させる構成としたことを特徴とする。
【０００９】
本発明は、これら構成を備えることによって所期の目的を達成するものである。
【発明の効果】
【００１０】
以上のように本発明のナビゲーション装置は、複数の音楽が収録された音楽収納メモリと、この音楽収納メモリに接続された制御部と、この制御部に接続された位置情報検出手段（ＧＰＳ）と、地図収納メモリ及び動作プログラム収納メモリと、を備え、前記音楽収納メモリ内には複数の音楽が嗜好情報を付加した状態で収納され、前記制御部は、前記位
置情報検出手段によって検出した現在位置から次の音声案内がされるまでの時間を算出し、この時間が所定時間以上あると判断した場合に前記音楽収納メモリに収納された嗜好上位の音楽を再生させる構成としたので、ユーザの使い勝手の良いものとなる。
【００１１】
即ち、本発明のナビゲーション装置であれば、現在再生されているものが終了または直前において、次の音声案内までの時間が所定時間あるか否かを判定し、所定時間ある場合には操作部によって設定した再生リスト中の上位曲を再生し、前記所定時間ない場合には再生リストに設定されているデフォルトの曲を順次再生するので、極めて快適な運転が行える。つまり、本発明においては、あくまでも音声案内が優先され、その音声案内が優先される中において、好きな曲は次の音声案内によって途中で途切れることなく、音声案内が重ならないように再生することによって、道路案内の観点、また曲を聴くという観点からも、ユーザに適切な運転を促すことが可能となり、使い勝手の良いものとなる。
【図面の簡単な説明】
【００１２】
【図１】本発明の一実施形態にかかるナビゲーション装置を搭載した自動車の車内を示す斜視図
【図２】本発明の一実施形態にかかるナビゲーション装置の制御ブロック図
【図３】本発明の一実施形態にかかるナビゲーション装置の動作フローチャート
【図４】本発明の一実施形態にかかる音楽再生リストを示す図
【図５】本発明の一実施形態にかかる動作状態を示す図
【発明を実施するための形態】
【００１３】
以下、本発明の一実施形態を、図面を用いて説明する。
【００１４】
図１において、自動車１は、その車内２の前方にハンドル３を配置している。
【００１５】
また、ハンドル３の側方にはナビゲーション装置４が配置されている。ナビゲーション装置４は、図１に示すように表示部５と操作部６を備えている。
【００１６】
図２は、本発明の実施例にかかるナビゲーション装置４の構成を示すブロック図である。ナビゲーション装置４は、表示部５、操作部６、音楽収納メモリ７、制御部８、再生部９、スピーカ１０、位置情報検出手段（ＧＰＳ）１１、地図収納メモリ及び動作プログラム収納メモリ（記憶部）１２等を備えて構成されており、制御部８は全てと接続されている。
【００１７】
表示部５は、液晶表示ユニットなどで構成される表示手段であり、地図や案内経路が表示される。表示部５に表示される地図や案内経路は、位置情報検出手段（ＧＰＳ）１１で測位した現在位置を中心にして表示され、現在位置が経路上を進行するに従ってスクロール表示される。現在位置が案内経路上の交差点などの手前（所定の距離）になると、該交差点の進行方向（直進、右折、左折）等のガイダンスを表示部５に表示する。
【００１８】
操作部６は、テンキーや文字入力キー、機能キー、タッチパネルなどを備えた入力手段である。また、操作部６は表示部５に表示されたメニュー画面の項目を選択するための選択キー、カーソルキーを備えている。
【００１９】
音楽収納メモリ７は、ＲＯＭなどで構成され、複数の音楽データが格納されており、これら複数の音楽データは、ユーザの嗜好情報を付加した状態で格納されている。
【００２０】
制御部８は、マイクロプロセッサからなる制御回路であり、ナビゲーション装置４の各種動作を制御する。制御部８は、前記位置情報検出手段１１によって検出した現在位置か
ら次の音声案内がされるまでの時間を算出し、この時間が所定時間以上あると判断した場合に前記音楽収納メモリ７に収納された嗜好上位の音楽を再生させ、この時間が所定時間以上ないと判断した場合に音楽収納メモリ７に収納された再生リストに設定されている次の曲を順次再生させる。また、制御部８は、操作部６から入力された目的地などの経路探索条件に応じて、後述する記憶部１２に記憶された経路探索用のネットワークデータを参照して最適な経路を案内経路として探索する。経路探索した案内経路の情報や交差点ノードごとのガイダンス情報に基づいて、表示部５に案内経路を表示し、スピーカ１０を介して音声ガイドを行う。
【００２１】
再生部９は、音楽収納メモリ７に格納された楽曲の再生順位をリストとして格納しているＲＡＭなどで構成される。
【００２２】
スピーカ１０は、音楽収納メモリ７に格納された楽曲を出力させたり、経路案内中の案内経路を音声で出力する。
【００２３】
位置情報検出手段（ＧＰＳ）１１は、複数のＧＰＳ衛星から送信されている信号を受信し、現在の位置を緯度・経度で算出する測位手段であり、ナビゲーション装置４が搭載された自動車の現在位置を所定の時間間隔で測位する。
【００２４】
地図収納メモリ及び動作プログラム収納メモリ（記憶部）１２には、ＲＯＭ、ＲＡＭを備えており、地図データおよび経路探索のためのネットワークデータ（ノード、リンク、リンクコスト）が蓄積されており、ＲＯＭには、これら地図データに基づいて経路探索をする際の動作プログラムが格納されている。
【００２５】
以上の構成におけるナビゲーション装置４を使用し、ユーザが現在地から所望の目的地に到るまでの経路案内中に、音楽収納メモリに格納されている音楽データを再生する際の使用例について、図３〜図５を用いて説明する。
【００２６】
まず、制御部８は、操作部６の操作により、図４に示すユーザの嗜好に基づいた再生リストを再生部９に設定する（図３のＳ１ステップ）。尚、再生リストには、音楽収納メモリ７内に複数の音楽が嗜好情報を付加した状態で収納されており、この再生リストに示す★印はユーザの好み（嗜好）の度合いを示している。即ち、嗜好の度合いが高い曲ほど★印が多くなり、図４に示す再生リストでは、嗜好順位が高い（再生リストの優先順位が高い）のは、曲Ｃ，曲Ｅ、曲Ｆ，曲Ｂ，曲Ａ、曲Ｄの順番となる。また、図４に示す曲Ｃが再生される際、音声案内は、曲Ｃの再生とは重ならない場所で出力される。なお、再生リストのデフォルト設定としては曲Ａから順番に曲Ｂ、曲Ｃ，曲Ｄ、曲Ｅ、曲Ｆの順番に設定されており、この順番で順次再生される。
【００２７】
次に、制御部８は、操作部６で目的地が設定されたか否かの判定を行う（図３のＳ２ステップ）。目的地設定がなされると、図４のＳ３ステップへ処理を進め、目的地設定がなされなければ本処理を繰り返す。
【００２８】
続いて、制御部８は、記憶部１２に格納された経路探索データ、地図データに基づいて経路案内を開始する（図３のＳ３ステップ）。この時、図５に示すように目的地への進行中に、スピーカ１０からは曲Ａの演奏（再生）が開始され、その間は随時、音声案内の出力も行われる。
【００２９】
制御部８は、曲Ａの再生終了を検出すると（図３のＳ４ステップのＹＥＳ）、位置情報検出手段（ＧＰＳ）１１によって検出された現在位置から次の音声案内がされるまでの時間を算出する。制御部８は、当該算出された時間が、所定時間以上であると判断すれば、
図３のＳ６ステップへ処理を進め、算出された時間が所定時間に満たないと判断すれば、図３のＳ７ステップへ処理を進める（図３のＳ５ステップ）。
【００３０】
制御部８は、再生リスト中の嗜好上位に設定された曲を優先的に選曲し、音楽収納メモリ７、再生部９を制御して、嗜好上位に設定された曲を再生する（図３のＳ６ステップ）。即ち、ここでは曲Ａの再生終了時に次の音声案内まで所定時間（例えば、６分）以上あるので、嗜好順位の高い曲Ｃを再生する（図３のＳ６ステップ）。
【００３１】
制御部８は、位置情報検出手段（ＧＰＳ）１１によって検出した現在位置から次の音声案内がされるまでの時間が所定時間に満たないと判断した場合は（Ｓ５ステップのＮＯ）、音楽収納メモリ７に収納された再生リストにデフォルトで設定されている次の曲を再生する。即ち、曲Ａの再生終了時に次の音声案内までの時間を算出し、それが所定時間以上ないと判断したため、再生リストに設定されている次の曲Ｂを選曲し、曲Ｂの再生を行う（図４のＳ７ステップ）。
【００３２】
そして、経路案内中の音楽再生と音声案内に関わる処理を曲Ｅ，曲Ｆ、曲Ｄについても同様に目的地に到着（経路案内の終了）するまで継続して行う。
【００３３】
以上、説明したように本実施形態によれば、ナビゲーションの経路案内中において、位置情報検出手段（ＧＰＳ）によって検出された現在位置から次の音声案内がされるまでの時間を算出し、この時間が所定時間以上あると判断した場合に音楽収納メモリに収納された嗜好上位の音楽を再生させ、この時間が所定時間以上ないと判断した場合に前記音楽収納メモリに収納された再生リストに設定されている次の曲を順次再生する構成とした。このため、経路案内を必要としないルートにおいて音楽再生が遮られることなく、ユーザの嗜好に応じた好みの曲を優先的に流すため、非常に快適に運転することが出来る。このように、本実施形態では、経路案内を優先し、この経路案内中の音声案内と音楽再生を効率良く行なうことが可能となるので、ユーザにとって極めて使い勝手の良いナビゲーション装置を提供することが可能となる。
【産業上の利用可能性】
【００３４】
本発明は、自動車や自転車、及び徒歩用のナビゲーション装置は勿論のこと、携帯電話や携帯型のタブレット端末等の電子機器を用いたナビゲーション機能としての活用が期待される。
【符号の説明】
【００３５】
１  自動車
２  車内
３  ハンドル
４  ナビゲーション装置
５  表示部
６  操作部
７  音楽収納メモリ
８  制御部
９  再生部
１０  スピーカ
１１  位置情報検出手段（ＧＰＳ）
１２  地図収納メモリ及び動作プログラム収納メモリ（記憶部）
【図１】
2014182050.tif 000003
【図２】
2014182050.tif 000004
【図３】
2014182050.tif 000005
【図４】
2014182050.tif 000006
【図５】
2014182050.tif 000007